(57)【要約】【課題】ユーザに手間をかけさせることなく、Ａ−ＧＰＳ機能に係る消費電力を削減することが可能な携帯電話端末を提供する。【解決手段】アシストデータを補助的に用いるＡ−ＧＰＳ方式により位置情報を算出するＧＰＳ部と、オートＧＰＳ機能による位置情報の定期取得にあたりアシストデータを生成する位置情報サーバとのセッションを確立して、位置情報サーバからアシストデータを取得すると擬似的な現在位置を示す仮位置情報を位置情報サーバへ通知してセッションを開放する制御部とを備える。【選択図】図１
2011171799.tif 000002
【特許請求の範囲】
【請求項１】
アシストデータを補助的に用いるＡ−ＧＰＳ方式により位置情報を算出するＧＰＳ部と、
オートＧＰＳ機能による位置情報の定期取得にあたり前記アシストデータを生成する位置情報サーバとのセッションを確立して、前記位置情報サーバからアシストデータを取得すると擬似的な現在位置を示す仮位置情報を前記位置情報サーバへ通知して前記セッションを開放する制御部と
を備える携帯電話端末。
【請求項２】
請求項１に記載の携帯電話端末であって、
前記仮位置情報は、現在、捕捉している無線基地局あるいはフェムトセル基地局の位置情報か、アシストデータに含まれる初期位置情報か、あるいは擬似的に計測を行ったダミーデータである
携帯電話端末。
【請求項３】
請求項１または請求項２に記載の携帯電話端末であって、
前記制御部は、ユーザからの位置計測命令を検知すると、前記位置情報サーバと前記セッションを再確立して、前記位置情報サーバからアシストデータを再取得して、前記ＧＰＳ部へ前記アシストデータを通知し、前記ＧＰＳ部において前記Ａ−ＧＰＳ方式により算出された位置情報を前記位置情報サーバへ通知して前記セッションを開放する
携帯電話端末。
【請求項４】
アシストデータを補助的に用いるＡ−ＧＰＳ方式により位置情報を算出するＧＰＳ部と、
オートＧＰＳ機能により位置情報を定期的に取得する制御部と
を備える携帯電話端末において、
前記オートＧＰＳ機能による位置情報の定期取得にあたり前記アシストデータを生成する位置情報サーバとのセッションを確立するステップと、
前記位置情報サーバからアシストデータを取得するステップと、
擬似的な現在位置を示す仮位置情報を前記位置情報サーバへ通知ステップと、
前記セッションを開放するステップと
を備える携帯電話端末の位置情報通知方法。
【請求項５】
請求項４に記載の携帯電話端末の位置情報通知方法であって、
前記仮位置情報は、現在、捕捉している無線基地局あるいはフェムトセル基地局の位置情報か、アシストデータに含まれる初期位置情報か、あるいは擬似的に計測を行ったダミーデータである
携帯電話端末の位置情報通知方法。
【請求項６】
請求項４または請求項５に記載の携帯電話端末の位置情報通知方法であって、
ユーザからの位置計測命令を検知するステップと、
前記位置情報サーバと前記セッションを再確立するステップと、
前記位置情報サーバからアシストデータを再取得するステップと、
前記ＧＰＳ部へ前記アシストデータを通知するステップと、
前記ＧＰＳ部において前記Ａ−ＧＰＳ方式により算出された位置情報を前記位置情報サーバへ通知して前記セッションを開放するステップ
をさらに備える携帯電話端末の位置情報通知方法。
【請求項７】
請求項４から請求項６までのいずれかに記載の携帯電話端末の位置情報通知方法をコンピュータへ実行させる携帯電話端末の位置情報通知プログラム。
【発明の詳細な説明】
【技術分野】
【０００１】
本発明は、Ａ−ＧＰＳ方式により位置情報を取得する携帯電話端末に関する。
【背景技術】
【０００２】
ＧＰＳ（Ｇｌｏｂａｌ  Ｐｏｓｉｔｉｏｎｉｎｇ  Ｓｙｓｔｅｍ）機能を搭載した携帯電話端末が広く普及している。複数存在する方式のうち、Ａ（Ａｓｓｉｔｅｄ）−ＧＰＳ方式は、高感度で高速な位置測位を実現可能な主流の方式である。Ａ−ＧＰＳ方式は、移動体通信ネットワークの備える位置情報サーバから位置情報を算出するために必要なアシストデータを取得して、アシストデータを用いて位置情報を算出する。ここで、アシストデータは、位置測位までの概算時間や、ＧＰＳ衛星の概算位置や、ＧＰＳ衛星の航法データといった情報を含んでいる。
【０００３】
一方、携帯電話端末により取得された位置情報を用いるサービスも普及している。オートＧＰＳ機能は、定期的に携帯電話端末の位置情報を取得する機能である。オートＧＰＳ機能により取得された位置情報用いて、携帯電話端末の現在位置を把握し、現在位置に応じた情報を携帯電話端末に通知するサービスなどが展開されている。
【０００４】
Ａ−ＧＰＳ方式による位置情報取得シーケンスでは、移動体通信ネットワークへアクセスしてアシストデータを取得する必要がある。そのため、携帯電話端末は、オートＧＰＳ機能等により定期的に位置情報を取得するとなると、その都度、消費される電力量も無視できなくなる。このような中にあって、ＧＰＳ機能を用いた位置情報取得に係る消費電力を抑えて、携帯電話端末の備えるバッテリの持ち時間を延ばすことが求められている。
【０００５】
特許文献１は、検索情報を取得するのに長時間を要する場合には、ユーザに長時間の待機を強いることを未然に回避することができ、それによって、利便性を高めることができる無線通信端末を開示している。
【０００６】
特許文献１の無線通信端末は、複数の検索手段と、制御手段とを備える。複数の検索手段は、それぞれがＧＰＳ衛星や基地局を検索する。制御手段は、複数の検索手段により検索されたＧＰＳ衛星や基地局に関する検索情報を取得し、その取得された検索情報を電話無線手段から位置情報サーバに送信させる。
【０００７】
制御手段は、ユーザによりＧＰＳ／基地局検索モードを選択されたときには、複数の検索手段のうちのＧＰＳ衛星を検索する検索手段および基地局を検索する検索手段の双方を動作させ、その取得されたＧＰＳ衛星情報および基地局情報を電話無線手段から位置情報サーバへ送信させる。一方、ユーザにより基地局検索モードが選択されたときには、複数の検索手段のうちＧＰＳ衛星を検索する検索手段の動作を禁止させると共に基地局を検索する検索手段のみ動作させ、その取得された基地局情報のみを電話無線手段から位置情報サーバへ送信させる。
【０００８】
特許文献１の無線通信端末によれば、基地局探索モードを設定した場合に、ＧＰＳ衛星の検索を中止するため、測位結果を取得するまでに要する時間を短縮して、ユーザに長時間の待機を強いることを未然に回避することができ、利便性を高めることができる。
【０００９】
しかし、特許文献１の無線通信端末は、ユーザによるモードの設定が必要であり、手間がかかるという課題がある。また、オートＧＰＳ機能により自動的に位置情報の通知が必要となる場合、このような設定を行うことができない可能性がある。
【先行技術文献】
【特許文献】
【００１０】
【特許文献１】特許第３７９１３６９号公報
【発明の概要】
【発明が解決しようとする課題】
【００１１】
本発明の目的は、ユーザに手間をかけさせることなく、Ａ−ＧＰＳ機能に係る消費電力を削減することが可能な携帯電話端末を提供することにある。
【課題を解決するための手段】
【００１２】
本発明の携帯電話端末は、アシストデータを補助的に用いるＡ−ＧＰＳ方式により位置情報を算出するＧＰＳ部と、オートＧＰＳ機能による位置情報の定期取得にあたりアシストデータを生成する位置情報サーバとのセッションを確立して、位置情報サーバからアシストデータを取得すると擬似的な現在位置を示す仮位置情報を位置情報サーバへ通知してセッションを開放する制御部とを備える。
【００１３】
本発明の携帯電話端末の位置情報通知方法は、アシストデータを補助的に用いるＡ−ＧＰＳ方式により位置情報を算出するＧＰＳ部と、オートＧＰＳ機能により位置情報を定期的に取得する制御部とを備える携帯電話端末において、オートＧＰＳ機能による位置情報の定期取得にあたりアシストデータを生成する位置情報サーバとのセッションを確立するステップと、位置情報サーバからアシストデータを取得するステップと、擬似的な現在位置を示す仮位置情報を位置情報サーバへ通知ステップと、セッションを開放するステップとを備える。
【００１４】
本発明の携帯電話端末の位置情報通知プログラムは、上述のの携帯電話端末の位置情報通知方法をコンピュータへ実行させる。
【発明の効果】
【００１５】
本発明によれば、ユーザに手間をかけさせることなく、Ａ−ＧＰＳ機能に係る消費電力を削減することが可能な携帯電話端末を提供できる。
【図面の簡単な説明】
【００１６】
【図１】図１は、本実施形態における携帯電話端末１の構成を示す図である。
【図２】図２は、本実施形態における携帯電話端末１のオートＧＰＳ機能における動作を示すフローチャートである。
【図３】図３は、本実施形態におけるユーザから位置測位命令を受けた場合における携帯電話端末１の動作を示すフローチャートである。
【発明を実施するための形態】
【００１７】
添付図面を参照して、本発明の実施形態による携帯電話端末を以下に説明する。
【００１８】
本実施形態の携帯電話端末は、Ａ−ＧＰＳ方式により定期的に位置情報を測位（オートＧＰＳ機能）して、自己の位置情報を位置情報サーバへ通知する。携帯電話端末は、位置情報サーバからアシストデータを受信すると、擬似的な現在位置を示す仮位置情報を位置情報サーバへ送信して通信を開放する。本実施形態の携帯電話端末は、ユーザから明示の命令入力が無い限り、アシストデータ用いてＧＰＳ衛星から受信されるＧＰＳ信号による位置情報の算出は行わない。そのため、携帯電話端末は、位置情報サーバと通信を接続する時間を短縮することができ、消費電力を抑えることができる。ここで、仮位置情報は、携帯電話端末と位置情報サーバとの通信を正常に開放することが可能であれば、携帯電話端末が捕捉している無線基地局の位置情報や、アシストデータに含まれる初期位置情報や、あるいはダミーデータを用いることができる。以下、本実施形態の携帯電話端末の構成、及び動作の説明を行う。
【００１９】
［構成の説明］
はじめに、本実施形態における携帯電話端末の構成の説明を行う。図１は、本実施形態における携帯電話端末１の構成を示す図である。
【００２０】
携帯電話端末１は、移動体通信ネットワーク１０にアクセスして音声通話やデータ通信を行うことが可能である。移動体通信ネットワーク１０は、無線基地局７と、ネットワーク８と、位置情報サーバ９とを備える。無線基地局７は、無線電波を送出して、無線エリアを構成する。位置情報サーバ９は、携帯電話端末１の位置情報を記憶する。位置情報サーバ９は、携帯電話端末１による位置情報算出に用いられる補助データであるアシストデータを、携帯電話端末１へ提供する。ネットワーク８は、携帯電話端末１と位置情報サーバ９との間の通信を転送する。なお、移動体通信ネットワーク１０は、図１に示される以外にも、携帯電話端末１による音声通話やデータ通信を実現するための様々な構成を備えるが、本発明には影響しないため、詳細な説明を省略する。
【００２１】
携帯電話端末１は、通信部２と、ＧＰＳ部３と、入出力部４と、記憶部５と、制御部６とを備える。通信部２と、ＧＰＳ部３と、入出力部４と、記憶部５と、制御部６とは、それぞれバスを介して接続されており、データの送受信が可能である。
【００２２】
入出力部４は、携帯電話端末１のユーザとの入出力インターフェースである。入出力部４は、文字や数字の入力用テンキーや、画像表示用のＬＣＤ（Ｌｉｑｕｉｄ  Ｃｒｙｓｔａｌ  Ｄｉｓｐｌａｙ）に例示される。ユーザは、入出力部４を操作することで携帯電話端末１の操作を行うことが可能である。
【００２３】
通信部２は、アンテナを備える。通信部２は、無線基地局との間で電波の送受信を行って、無線基地局７と無線通信を行うことが可能である。
【００２４】
ＧＰＳ部３は、アンテナを備える。ＧＰＳ部３は、図示されないＧＰＳ衛星からの電波を受信して、位置情報を算出するためのＧＰＳ信号を取得する。ＧＰＳ部３は、ＧＰＳ信号を用いて携帯電話端末１の位置情報を算出する。また、本実施形態では携帯電話端末１は、Ａ−ＧＰＳ方式に基づいて位置情報を算出する。そのため、ＧＰＳ部３は、後述する制御部６から位置情報の算出のための補助データであるアシストデータを入力して、アシストデータを補助的に用いて位置情報を算出する。
【００２５】
記憶部５は、携帯電話端末１の機能を実現するコンピュータプログラムやデータを記憶する。記憶部５は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｒｙ）に例示される。
【００２６】
制御部６は、記憶部５に記憶されたコンピュータプログラムを実行して、携帯電話端末１の機能を実現する。制御部６は、ＣＰＵ（Ｃｅｎｔｒａｌ  Ｐｒｏｃｅｓｓｉｎｇ  Ｕｎｉｔ）に例示される。制御部６は、通信部２による無線通信を介して移動体通信ネットワーク１０へアクセスして、移動体通信ネットワーク１０の備える位置情報サーバ９との間で通信を行うことが可能である。
【００２７】
以上が、本実施形態における携帯電話端末１の構成の説明である。
【００２８】
［動作の説明］
次に、上述のように構成された本実施形態における携帯電話端末１の動作の説明を行う。図２は、本実施形態における携帯電話端末１のオートＧＰＳ機能における動作を示すフローチャートである。
【００２９】
まず、携帯電話端末１の制御部６は、位置情報の測位を開始する（ステップＳ１０）。本実施形態において携帯電話端末１は、オートＧＰＳ機能を実装している。そのため、携帯電話端末１は、定期的に携帯電話端末１の位置情報を取得して、移動体通信ネットワーク１０の位置情報サーバ９へ通知する。なお、位置情報の測位開始は、携帯電話端末１の制御部６においてトリガをかけて良いし、位置情報サーバ９からトリガをかけられても良い。
【００３０】
制御部６は、位置情報測位を開始すると、通信部２を介して位置情報サーバ９との間で通信セッションを確立する（ステップＳ２０）。制御部６は、位置情報サーバ９との通信セッションが確立されると、アシストデータを要求する（ステップＳ３０）。位置情報サーバ９では、携帯電話端末１からのアシストデータの要求を受けて、携帯電話端末１を配下に含む無線基地局７や無線基地局７の構成する無線エリアに関する情報に基づいて、アシストデータを生成する。位置情報サーバ９は、ネットワーク８、無線基地局７を介してアシストデータを携帯電話端末１へ送信する（ステップＳ４０）。
【００３１】
携帯電話端末１の制御部６は、通信部２を介してアシストデータを受信する。制御部６は、アシストデータを受信すると、通信部２を介して擬似的な現在位置を示す仮位置情報を位置情報サーバ９へ送信して（ステップＳ５０）、位置情報サーバ８とのセッションを開放する（ステップＳ６０）。これによって、携帯電話端末１による位置情報サーバ９への位置情報通知が完了する（ステップＳ７０）。
【００３２】
以上が、本実施形態における携帯電話端末１のオートＧＰＳ機能における動作の説明である。ここで、仮位置情報は、携帯電話端末と位置情報サーバとの通信を正常に開放することが可能であれば、携帯電話端末が捕捉している無線基地局７やフェムトセル基地局等の位置情報、あるいはこれらを基にした位置情報や、アシストデータに含まれる初期位置情報や、あるいはダミーの測位結果によるダミーデータを用いることができる。
【００３３】
これらの情報は、ＧＰＳ部３によりＧＰＳ衛星からのＧＰＳ信号とアシストデータとを用いて算出された位置情報と比較する精度が劣る。しかし、制御部６は、仮位置情報を位置情報サーバ９に通知することで、早期に通信セッションを開放することが可能となる。そのため、携帯電話端末１において位置情報測位に係る消費電力を抑えることができる。結果として、携帯電話端末１の図示されないバッテリの持ち時間を延ばす効果もある。
【００３４】
このように、本実施形態の携帯電話端末１は、オートＧＰＳ機能による定期的な位置情報通知動作において、ＧＰＳ信号とアシストデータを用いた位置情報の算出を行わずに、擬似的な現在位置を示す仮位置情報を位置情報サーバ９へ通知する。前述の通り、位置情報サーバ９に通知される携帯電話端末１の位置情報の精度は低い。そのため、携帯電話端末１は、ユーザから明示の位置測位命令を受けた場合には、ＧＰＳ信号とアシストデータを用いて位置情報の算出を行う。
【００３５】
図３は、本実施形態におけるユーザから位置測位命令を受けた場合における携帯電話端末１の動作を示すフローチャートである。なお、図３のフローチャートにおいて、ステップＳ１０からステップＳ７０までは、図２に示されたフローチャートと同様であるので、重ねての説明を省略する。
【００３６】
ユーザは、携帯電話端末１の入出力部４へ、位置測位命令を入力する（ステップＳ８０）。制御部６は、ユーザからの位置測位命令を検知すると、通信部２を介して移動体通信ネットワーク１０へアクセスして、位置情報サーバ９と通信セッションを確立する（ステップＳ９０）。制御部６は、位置情報サーバ９との通信セッションが確立されると、アシストデータを要求する（ステップＳ１００）。位置情報サーバ９では、携帯電話端末１からのアシストデータの要求を受けて、携帯電話端末１を配下に含む無線基地局７や無線基地局７の構成する無線エリアに関する情報に基づいて、アシストデータを生成する。位置情報サーバ９は、ネットワーク８、無線基地局７を介してアシストデータを携帯電話端末１へ送信する（ステップＳ１１０）。
【００３７】
携帯電話端末１の制御部６は、通信部２を介してアシストデータを受信する。制御部６は、アシストデータをＧＰＳ部３へ出力する。ＧＰＳ部３は、ＧＰＳ衛星からのＧＰＳ信号とアシストデータとに基づいて、携帯電話端末１の位置情報を算出する（ステップＳ１２０）。このようにして算出された携帯電話端末１の位置情報（以下、算出位置情報）は、算出までに時間が係るものの、仮位置情報として位置情報サーバ９へ通知される位置情報より精度が高い。そのため、ユーザが携帯電話端末１上で何かしらのアプリケーションを使用している場合など、より正確な位置情報が必要な場合には、このようにして算出された位置情報を用いるのが好ましい。
【００３８】
ＧＰＳ部３は、算出位置情報を制御部６へ通知する。制御部６は、通信部２を介して位置情報サーバ９へ、算出位置情報を通知して（ステップＳ１３０）、位置情報サーバ８とのセッションを開放する（ステップＳ１４０）。これによって、携帯電話端末１による位置情報サーバ９への位置情報通知が完了する（ステップＳ１５０）。
【００３９】
以上が、本実施形態におけるユーザから位置測位命令を受けた場合における携帯電話端末１の動作の説明である。このように、ユーザから明示の位置測位命令を受けた場合には、ＧＰＳ部３が、ＧＰＳ信号とアシストデータとに基づいて、携帯電話端末１の位置情報を算出する。そのため、より精度の高い位置情報データを位置情報サーバ９へ通知することができる。
【００４０】
ここまで、本実施形態における携帯電話端末１の説明を行ってきた。本実施形態の携帯電話端末１は、Ａ−ＧＰＳ方式を用いたオートＧＰＳ機能による自己の位置情報を位置情報サーバ９へ通知する。携帯電話端末１は、位置情報サーバからアシストデータを受信すると、擬似的な現在位置を示す仮位置情報を位置情報サーバ９へ送信して通信を開放する。本実施形態の携帯電話端末１は、ユーザから明示の命令入力が無い限り、アシストデータ用いてＧＰＳ衛星から受信されるＧＰＳ信号に基づく位置情報の算出は行わない。このような構成により、携帯電話端末１は、ユーザに手間をかけさせることなく、位置情報サーバ９と通信を接続する時間を短縮することができ、消費電力を抑えることができる。
【００４１】
以上、実施形態を参照して本発明を説明したが、本発明は上記の実施形態に限定されるものではない。本発明の構成や詳細には、本発明の範囲内で当業者が容易に理解しえる様々な変更を行うことが可能である。
【符号の説明】
【００４２】
１  携帯電話端末
２  通信部
３  ＧＰＳ部
４  入出力部
５  記憶部
６  制御部
７  無線基地局
８  ネットワーク
９  位置情報サーバ
１０  移動体通信ネットワーク
【図１】
2011171799.tif 000003
【図２】
2011171799.tif 000004
【図３】
2011171799.tif 000005